(57)【要約】【課題】従来から提供されている照明器具から材料および設計の変更を伴わずに虫を誘引し難い照明器具を提供する。【解決手段】光源４を保持する器具本体６を備えた照明器具１において、器具本体６には光源４を包囲する透光性カバー１３が取り付けられる。光源４は可視光線だけでなく紫外線も放射しているので、透光性カバー１３を透過する紫外線により照明器具１に虫が誘引されることがないように、透光性カバー１３には少なくとも紫外線吸収剤を含み紫外線の透過量を低減する低誘虫性塗料１７が塗布されている。【選択図】図１
2005353554.tif 000002
【特許請求の範囲】
【請求項１】
光源を保持する器具本体と、光源を包囲する透光性カバーとを備え、少なくとも紫外線吸収剤を含み紫外線の透過を妨げる低誘虫性塗料が透光性カバーに塗布されて成ることを特徴とする照明器具。
【請求項２】
前記透光性カバーはガラス製であることを特徴とする請求項１記載の照明器具。
【請求項３】
前記低誘虫性塗料は乳白色であることを特徴とする請求項１または請求項２に記載の照明器具。
【請求項４】
前記低誘虫性塗料は無色透明であることを特徴とする請求項１または請求項２に記載の照明器具。
【請求項５】
前記低誘虫性塗料は、前記透光性カバーの内側面に塗布されていることを特徴とする請求項１ないし請求項４のいずれか１項に記載の照明器具。
【請求項６】
前記低誘虫性塗料は、つや消し塗料であって、前記透光性カバーの外側面に塗布されていることを特徴とする請求項１または請求項２に記載の照明器具。
【発明の詳細な説明】
【技術分野】
【０００１】
本発明は、紫外線の放射量を低減することにより虫を誘引し難くした照明器具に関するものである。
【背景技術】
【０００２】
紫外線に誘引される虫が多いことは一般に知られている。一般の照明器具は可視光線だけでなく紫外線も放射しているので、たとえば夜間に、照明器具に誘引された虫が照明器具に群がることがある。このように、照明器具に虫が誘引されると、照明器具に群がる虫にによって照明器具の見映えが悪くなったり照明器具が汚れたりするだけでなく、照明器具を屋内で使用している場合には屋内に虫を誘引してしまうことになる。
【０００３】
これに対して、図６に示すような、虫が誘引され難い照明器具１が考えられている。この照明器具１は、屋外で使用されるように設計されたものであって、下部を地中に埋設して設置されるポール２の上端部に、蛍光ランプのような光源４を保持するソケット５を含む器具本体６が固定される。器具本体６には、ソケット５に保持された光源４を包囲する透光性カバー１３が取り付けられる。この透光性カバー１３は、紫外線吸収剤が添加されたアクリル樹脂で形成されており、可視光線を通しながらも紫外線の透過量を低減させる機能を有している。すなわち、この透光性カバー１３で光源４を包囲して照明器具１が放射する紫外線量を低減することにより、虫を誘引し難くするのである。
【０００４】
また、虫を誘引し難くすることを目的として紫外線の透過量を低減するものとして、紫外線吸収剤をガラスに添加したものも知られている（たとえば特許文献１参照）。
【特許文献１】特開平１−１２２９３５号公報（第２頁）
【発明の開示】
【発明が解決しようとする課題】
【０００５】
ところで、従来から提供されている照明器具１を用いて、材料および設計の変更を伴わずに、上述した照明器具１のような虫が誘引され難い照明器具１を実現できれば、虫が誘引され難い照明器具１を多品種提供し、且つ容易に製造することが可能になる。しかし、上述したように透光性カバー１３に紫外線吸収剤を添加した材料を用いている照明器具１では、透光性カバー１３の材料を従来のものから変更する必要がある。
【０００６】
本発明は上記事由に鑑みて為されたものであって、従来から提供されている照明器具から材料および設計の変更を伴わずに実現できる虫を誘引し難い照明器具を提供することを目的とする。
【課題を解決するための手段】
【０００７】
請求項１の発明では、光源を保持する器具本体と、光源を包囲する透光性カバーとを備え、少なくとも紫外線吸収剤を含み紫外線の透過を妨げる低誘虫性塗料が透光性カバーに塗布されて成ることを特徴とする。
【０００８】
この構成によれば、透光性カバーに低誘虫性塗料を塗布することにより透光性カバーにおける紫外線の透過量を低減させて虫を誘引し難くしているので、従来から提供されている照明器具から材料および設計の変更を伴わずに虫が誘引され難い照明器具を実現することができる。その結果、従来から提供されている照明器具を用いて虫を誘引し難い照明器具を多品種提供し、且つ容易に製造することができる。
【０００９】
請求項２の発明は、請求項１の発明において、前記透光性カバーがガラス製であることを特徴とする。
【００１０】
一般にガラスは紫外線透過率が可視光線透過率より低いので、請求項２の構成によれば、低誘虫性塗料に加えて透光性カバーでも紫外線の透過量が低減されることになり、照明器具から放射される紫外線量をさらに低減することができる。しかも、透光性カバーの経年的な変形を防止することができ、見映えのよい外観を維持することができる。
【００１１】
請求項３の発明は、請求項１または請求項２の発明において、前記低誘虫性塗料が乳白色であることを特徴とする。
【００１２】
乳白色の塗料は可視光線だけでなく紫外線の透過量も低減させるので、請求項３の構成によれば、必要な塗膜厚を比較的薄くできる。これによって、塗装時間の短縮が期待できる。
【００１３】
請求項４の発明は、請求項１または請求項２の発明において、前記低誘虫性塗料が無色透明であることを特徴とする。
【００１４】
この構成によれば、低誘虫性塗料が可視光線をほとんど遮ることなく透過させるので、透光性カバーを設けることにより照明器具の明るさが低下することはない。
【００１５】
請求項５の発明は、請求項１ないし請求項４のいずれかの発明において、前記低誘虫性塗料が、前記透光性カバーの内側面に塗布されていることを特徴とする。
【００１６】
この構成によれば、照明器具の周囲の環境によって低誘虫性塗料が劣化することを防止できる。
【００１７】
請求項６の発明は、請求項１または請求項２の発明において、前記低誘虫性塗料が、つや消し塗料であって、前記透光性カバーの外側面に塗布されていることを特徴とする。
【００１８】
この構成によれば、透光性カバーの外側面につや消しが施され、透光性カバーの外観の見映えがよくなる。
【発明の効果】
【００１９】
本発明は、透光性カバーに低誘虫性塗料を塗布することにより透光性カバーにおける紫外線の透過量を低減させて虫を誘引し難くしているので、従来から提供されている照明器具から材料および設計の変更を伴わずに虫が誘引され難い照明器具を実現することができる。その結果、従来から提供されている照明器具を用いて虫を誘引し難い照明器具を多品種提供し、且つ容易に製造することができる。
【発明を実施するための最良の形態】
【００２０】
（実施形態１）
本実施形態では、下部が地中に埋設された状態で使用される図１に示すような照明器具１を例として説明する。この照明器具１は、屋外用として設計されたものであって、四角筒状のポール２を備え、ポール２の下部を地中に埋設して設置される。ポール２の側面にはＧ．Ｌラベル３が設けられており、このＧ．Ｌラベル３を地表面Ｇに合わせることによりポール２を埋設する深さを決定する。ポール２は中空に形成されている。
【００２１】
ポール２の上端部には、蛍光ランプのような光源４を保持するソケット５を有した器具本体６が結合されている。器具本体６は、上方から見て外周がポール２に一致する四角筒状に形成されており、内部空間をポール２との間で仕切る仕切板２３を底壁として備えている。ソケット５は上向きに開口し、上方から光源４を取付可能としている。仕切板２３は両側部が下方に折曲されてポール２の内側面に当接しており、仕切板２３の下方に折曲された部位を取付ねじ７を用いてポール２の側壁に固定することにより、器具本体６とポール２とが固定される。
【００２２】
器具本体６は、ソケット５に電気的に接続された制御部８を備えるとともに、外方に露出するセンサ部９と、センサ部９の上方に近接して配置される防犯ブザー１０とを側面の一部に備えている。センサ部９と防犯ブザー１０とはともに制御部８に対して電気的に接続されている。センサ部９は明るさセンサを有しており、周囲の明るさに応じて光源４を点灯・消灯させることができる。センサ部９には人感センサも設けられており、センサ部９は人の有無によって検出信号を出力する。防犯ブザー１０は、ハウジング内に圧電ブザー１１を有し、防犯モードで動作時に前記センサ部９で人の存在を検知すると警告音を発生する。ここで、防犯ブザー１０のハウジングにはリモコン受光部１２が設けられており、外部からリモコンで動作モードを前記防犯モードに切替えることができる。また、センサ部９は上下方向に首振り可能であって、検知する範囲を適宜設定することができるものである。
【００２３】
器具本体６の上端部には、光源４を包囲する透光性カバー１３が取り付けられる。透光性カバー１３はガラス製で箱状に形成されており、下端面に円形状に開口する挿入孔（図示せず）が形成されている。挿入孔の周縁には外周面にねじ溝が形成された円筒状の取付部１４が下方に向かって突設されており、取付部１４を器具本体６の上端部に形成されたねじ孔１５に螺合させることによって、透光性カバー１３は器具本体６に取り付けられる。ここで、ねじ孔１５の中央部に位置するようにソケット５を配置してあるので、光源４をソケット５に取り付けた状態で光源４は透光性カバー１３に包囲されることになる。器具本体６と透光性カバー１３との隙間にはねじ孔１５から器具本体６の内部への水の侵入を防止するパッキン１６が取り付けられている。
【００２４】
ところで、本実施形態の照明器具１では、紫外線の透過量を低減させ且つ可視光線は透過させる低誘虫性塗料１７を透光性カバー１３の内側面に塗布してあって、光源４からの光が低誘虫性塗料１７を塗布した透光性カバー１３を透過する際に、波長が３００〜４０５ｎｍの紫外線の大部分がカットされるようにしている。これにより、紫外線によって照明器具１（特に透光性カバー１３の外側面）に虫が誘引されることを防止できる。本実施形態で用いる低誘虫性塗料１７は、具体的な成分は後述するが、透過光に黄味が生じ難く、且つブリードアウトが発生しにくく、さらに高い耐久性および耐候性を備えるものである。
【００２５】
本実施形態の透光性カバー１３は無着色（無色透明）のガラス製であって、低誘虫性塗料１７に乳白色のものを用いている。この構成では、透光性カバー１３の内側面に低誘虫性塗料１７を塗布するだけで、透光性カバー１３に乳白色の着色を施すことと虫を誘引し難くする機能を照明器具１に付与することとが同時に行えるのである。結果的に、低誘虫性塗料１７を塗布していない乳白色の透光性カバー１３を有する一般の照明器具１に比べて塗装に要する工程数を増加させることがなく、しかも、低誘虫性塗料１７を比較的付着性の高いガラスに直接塗布することができるので、乳白色の塗料の上から低誘虫性塗料１７を重ね塗りする構成に比べて低誘虫性塗料１７が剥脱し難いという利点がある。
【００２６】
また、本実施形態の照明器具１は、従来から提供されている照明器具１から材料および設計の変更が特になく、従来から提供されている照明器具１をそのまま用いて虫を誘引し難くできるものである。すなわち、本発明の技術を用いれば、従来から提供されている照明器具１を用いて虫を誘引し難い照明器具１を多品種提供し、且つ容易に製造することができる。
【００２７】
以下に低誘虫性塗料１７について説明する。低誘虫性塗料１７は、透光性樹脂と、紫外線吸収剤とを必須成分として含有する。
【００２８】
透光性樹脂としては、適宜のものが用いられるが、特にアクリル樹脂（イソシアネート硬化性アクリル樹脂を含む）、アルキド樹脂、ポリカーボネート樹脂、ポリウレタン樹脂、エポキシ樹脂、メラミン樹脂、ジエチレングリコールビスアリルカーボネート樹脂、アクリロニトリル−スチレン共重合体、メチルメタクリレート−スチレン共重合体、ポリエチレン樹脂、ポリスチレン樹脂、オレフィン樹脂、及びこれらを主成分とするアロイ材料等を用いることが好ましく、このうち１種又は２種以上の樹脂を用いることができる。
【００２９】
ここで、透光性樹脂は、ベンゾトリアゾール系紫外線吸収基を骨格に含むものであっても良く、またこれを骨格に含まないものであっても良い。ベンゾトリアゾール系紫外線吸収基を骨格に含むものを用いる場合には、塗膜の３００〜３８０ｎｍの波長域における紫外線吸収能が更に向上することが期待される。このようなベンゾトリアゾール系紫外線吸収基を骨格に含む透光性樹脂としては、具体的にはアクリル樹脂にベンゾトリアゾール系紫外線吸収基を導入したものを挙げることができ、例えば２−［２’−ヒドロキシ−５’−（メタクリロイルオキシメチル）フェニル］−２Ｈ−ベンゾトリアゾール、２−［２’−ヒドロキシ−５’−（メタクリロイルオキシエチル）フェニル］−２Ｈ−ベンゾトリアゾール、２−［２’−ヒドロキシ−５’−（メタクリロイルオキシプロピル）フェニル］−２Ｈ−ベンゾトリアゾール等のベンゾトリアゾールと、シクロヘキシル（メタ）アクリレート、メチルシクロヘキシル（メタ）アクリレート、ｔ−ブチルシクロヘキシル（メタアクリレート）等の不飽和単量体との共重合体を挙げることができる。
【００３０】
一方、紫外線吸収剤としては、ベンゾトリアゾール系化合物、ヒドロキシフェニルトリアジン系化合物、トリスレゾルシノールトリアジン系化合物が挙げられる。
【００３１】
ベンゾトリアゾール系化合物としては、２−（２−ヒドロキシ−５−ｔ−ブチルフェニル）−２Ｈ−ベンゾトリアゾール（例えばチバ・スペシャルティ・ケミカル社製の商品名「チヌビンＰＳ」）、２−（２Ｈ−ベンゾトリアゾール−２−イル）−４，６−ジ−ｔ−ペンチルフェノール（例えばチバ・スペシャルティ・ケミカル社製の商品名「チヌビン３２８」）、２−（２Ｈ−ベンゾトリアゾール−２−イル）−４，６−ビス（１−メチル−１−フェニルエチル）フェノール、α−［３−［３−（２Ｈ−ベンゾトリアゾール−２−イル）−５−（１，１−ジメチルエチル）−４−ヒドロキシフェニル］−１−オキソプロピル］−ω−ヒドロキシポリ（オキソ−１，２−エタンジイル）（例えばチバ・スペシャルティ・ケミカル社製の商品名「チヌビン１１３０」）等が挙げられる。
【００３２】
また、ベンゾトリアゾール系化合物としては、クロル基を有するものも挙げられる。このようなクロル基を有するベンゾトリアゾール系化合物としては、具体的には、オクチル−３−［３−ｔ−ブチル−４−ヒドロキシ５−（５−クロロ−２Ｈ−ベンゾトリアゾール−２−イル）フェニル］プロピオネート（例えばチバ・スペシャルティ・ケミカル社製の商品名「チヌビン１０９」）、２−［５−クロロ（２Ｈ）−ベンゾトリアゾール−２−イル］−４−メチル−６−（ｔ−ブチル）フェノール（例えばチバ・スペシャルティ・ケミカル社製の商品名「チヌビン３２６」）、２，４−ジ−ｔ−ブチル−６−（５−クロロベンゾトリアゾール−２−イル）フェノール（例えばチバ・スペシャルティ・ケミカル社製の商品名「チヌビン３２７」）等が挙げられる。
【００３３】
また、ヒドロキシフェニルトリアジン系化合物としては、２−［４−［（２−ヒドロキシ−３−ドデシルオキシプロピル）オキシ］−２−ヒドロキシフェニル］−４，６−ビス（２，４−ジメチルフェニル）−１，３，５−トリアジン、２−［４−［（２−ヒドロキシ−３−トリデシルオキシプロピル）オキシ］−２−ヒドロキシフェニル］−４，６−ビス（４，６−ビス（２，４−ジメチルフェニル）−１，３，５−トリアジン、２，４−ビス（２，４−ジメチルフェニル）−６−（２−ヒドロキシ−４−イソ−オクチルフェニル）−ｓ−トリアジン等を挙げることができる。市販品としては、チバ・スペシャルティ・ケミカル社製の商品名「チヌビン４００」（２−［４−［（２−ヒドロキシ−３−ドデシルオキシプロピル）オキシ］−２−ヒドロキシフェニル］−４，６−ビス（２，４−ジメチルフェニル）−１，３，５−トリアジンと、２−［４−［（２−ヒドロキシ−３−トリデシルオキシプロピル）オキシ］−２−ヒドロキシフェニル］−４，６−ビス（４，６−ビス（２，４−ジメチルフェニル）−１，３，５−トリアジンとの混合物）、「チヌビン４１１Ｌ」（２，４−ビス（２，４−ジメチルフェニル）−６−（２−ヒドロキシ−４−イソ−オクチルフェニル）−ｓ−トリアジン）等を挙げることができる。
【００３４】
また、トリスレゾルシノールトリアジン系化合物としては、イソオクチル置換トリスレゾルシノールトリアジン（例えばチバ・スペシャルティ・ケミカル社製の商品名「ＣＧＬ７７７」）、ｔ−ブチル置換トリスレゾルシノールトリアジン、クミル置換トリスレゾルシノールトリアジン等を挙げることができる。
【００３５】
さらに、低誘虫性塗料１７には必要に応じて有機溶剤が含有される。有機溶剤としては、キシレン、トルエン、ベンゼン、エチルベンゼン、ソルベントナフサ等の芳香族炭化水素；酢酸エチル、酢酸プロピル、酢酸ブチル等のエステル系有機溶剤；エタノール、イソプロピルアルコール、ｎ−プロパノール、ｎ−ブタノール、ｎ−ペンタノール、ｎ−ヘキサノール等のアルコール系有機溶剤などが挙げられる。
【００３６】
塗膜を形成する場合の膜厚は特に制限されないが、十分に高い紫外線吸収能を備えるようにするためには膜厚が２μｍ以上であることが好ましく、また十分な耐久性を備えるとともに製造コストを抑制するためには膜厚が５０μｍ以下であることが好ましい。これにより、３００〜３８０ｎｍの波長域において紫外線光をほぼ１００％カットするとともに、３００〜４０５ｎｍの波長域の場合でも９７％以上の紫外線光をカットすることができる塗膜を形成することも可能となる。
【００３７】
以下では、上述した組成に従って調製される低誘虫性塗料１７の例として表１に塗料１〜３で示す３種類の塗料について説明する。ここにおいて、塗料１および塗料２が無着色（無色透明）の低誘虫性塗料１７であって、塗料３が乳白色の低誘虫性塗料１７であるので、本実施形態では塗料３を用いている。
【００３８】
表１中の「ＵＶ−６０１０」は日本触媒社製のベンゾトリアゾール系紫外線吸収基を骨格に含む透光性樹脂であり、「Ｓ−２８１８」は日本触媒社製の透光性樹脂であり、「チヌビン１０９」はチバ・スペシャリティ・ケミカルズ社製のクロル基含有ベンゾトリアゾール系化合物（オクチル−３−［３−ｔ−ブチル−４−ヒドロキシ５−（５−クロロ−２Ｈ−ベンゾトリアゾール−２−イル）フェニル］プロピオネート）であり、「チヌビン４００」はチバ・スペシャリティ・ケミカルズ社製のヒドロキシフェニルトリアジン系化合物（２−［４−［（２−ヒドロキシ−３−ドデシルオキシプロピル）オキシ］−２−ヒドロキシフェニル］−４，６−ビス（２，４−ジメチルフェニル）−１，３，５−トリアジンと、２−［４−［（２−ヒドロキシ−３−トリデシルオキシプロピル）オキシ］−２−ヒドロキシフェニル］−４，６−ビス（４，６−ビス（２，４−ジメチルフェニル）−１，３，５−トリアジンとの混合物）であり、「チヌビン１１３０」はチバ・スペシャリティ・ケミカルズ社製のベンゾトリアゾール系化合物（α−［３−［３−（２Ｈ−ベンゾトリアゾール−２−イル）−５−（１，１−ジメチルエチル）−４−ヒドロキシフェニル］−１−オキソプロピル］−ω−ヒドロキシポリ（オキソ−１，２−エタンジイル））であり、「ＵＴＣＯ−５０１ホワイト」は大日精化工業社製の酸化チタン・キシレン分散液である。
【００３９】
【表１】
2005353554.tif 000003
【００４０】
各低誘虫性塗料１７ごとに所定の透光性樹脂及びブロックドイソシアネート、並びに塗料３の場合については酸化チタン・キシレン分散剤（大日本精化工業社製、「ＵＴＣＯ−５０１ホワイト」）を所定量配合し、これをスクリュー式攪拌機にて５００ｒｐｍで撹拌しながら紫外線吸収剤を加え、その後、更に５００ｒｐｍで１０分間撹拌して、第１剤を調製する。また、キシレンを４５質量部、ｎ−ブタノールを５０質量部、γ−ウレイドプロピルトリエトキシシランを５質量％配合し、これを５００ｒｐｍで５分間撹拌して、第２剤を調製する。そして、第１剤と第２剤とを２：１の質量比率で混合し、これをスクリュー攪拌機にて５００ｒｐｍで１０分間撹拌することにより、各組成を有する低誘虫性塗料１７が調製される。
【００４１】
このように調製された低誘虫性塗料１７を平板ガラスにスプレー塗布し、送風定温乾燥機内で１８０℃で３０分間熱処理を施すことで厚み１０μｍ（但し、乳白色塗膜を形成する塗料３では厚み７μｍ）の塗膜を形成して得られる塗料１〜３の評価用サンプルの、３００〜８００ｎｍの波長域での透過率スペクトルの測定結果を図２〜４にそれぞれ示す。透過率スペクトルの測定には、ＵＶ−ＶＩＳ分光光度計（島津製作所社製、「ＵＶ３１００−ＰＣ」）を用いるものとする。
【００４２】
また、本発明は図１に示す形態のものに限らず、図５に示すように門柱上に取り付けられる照明器具１に採用してもよい。図５の照明器具１は、上下方向に沿って配置される４枚の板で矩形枠状に形成された木枠１８を備え、木枠１８の底面に取付板１９が固定された構成を採用している。照明器具１は、取付板１９を施工部位に当接させた状態で、施工ねじ２０を用いて施工部位に固定される。木枠１８に囲まれた部位には、蛍光ランプのような光源４を保持するソケット５を有した器具本体６が設けられている。
【００４３】
器具本体６は、明るさセンサを有して周囲の明るさに応じて光源４を点灯・消灯させるセンサ部９を木枠１８の側面の一部に備えている。明るさセンサの前方には、スライドさせることによって明るさセンサの感度を調節可能なマスク２１が配置されている。木枠１８の下端部には水抜き用の切欠２２が３箇所形成されている。
【００４４】
器具本体６の上方には、前述した照明器具１と同様に光源４を包囲する透光性カバー１３が、取付部１４を器具本体６の上端部に形成されたねじ孔１５に螺合させることによって器具本体６に取り付けられている。この透光性カバー１３は、前述したものと略同じものである。
【００４５】
なお、屋内で使用される照明器具１に本発明を採用すれば、照明器具１自体に虫が誘引され難くなるだけでなく、屋内に侵入する虫の数の減少が期待できる。また、透光性カバー１３の形状によって内側面に低誘虫性塗料１７を均一に塗布することが困難な場合には、透光性カバー１３の外側面あるいは内側面と外側面との両面に低誘虫性塗料１７を塗布することにより、塗装時の負担を軽減することができる。
【００４６】
（実施形態２）
本実施形態の照明器具１においては、無着色（無色透明）の２枚のガラスの間に白色塗料の層を形成して成る乳白ガラスを透光性カバー１３に用いている。すなわち、透光性カバー１３は、低誘虫性塗料１７で着色することなく乳白色に着色されているので、低誘虫性塗料１７には無着色（無色透明）のものを用いる。これにより、乳白ガラスにさらに着色することによって光源４からの可視光線の透過率が低減してしまうことを防止することができ、また、乳白ガラスが持つ風合を保つことができる。
【００４７】
また、比較的暗くてもよい照明器具１においては、乳白ガラスの上に、さらに乳白色の低誘虫性塗料１７を塗布してもよい。乳白色の塗料は、可視光線だけでなく紫外線の透過量も低減させるので、同程度の紫外線を遮るには、無着色の低誘虫性塗料１７を用いるよりも乳白色の低誘虫性塗料１７を用いた方が、必要な塗膜厚が薄くなる。これによって、塗装時間の短縮が期待できる。
【００４８】
さらに、透光性カバー１３の仕上りを無色透明にする場合には、透光性カバー１３に無着色のガラスを用いて無着色の低誘虫性塗料１７を塗布する。これにより、光源４のきらめき感を活かすことができる。なお、上述した乳白ガラスは所謂ギョクガラスであってもよい。その他の構成および機能は実施形態１と同様である。
【００４９】
（実施形態３）
本実施形態の照明器具１は、透光性カバー１３の外側面につや消し塗料（図示せず）を塗布することによって透光性カバーの外観につや消しを施した点が実施形態１の照明器具１と相違する。本実施形態では、低誘虫性塗料１７は透光性カバー１３の内側面に塗布される。
【００５０】
透光性カバー１３の外観につや消しを施す方法として、従来はフッ酸などを用いてガラスの表面を荒らす方法が多く用いられていたが、近年では環境への配慮から、本実施形態のように所謂フロスト調のつや消し塗料を使用してスリガラスのように仕上げる方法を採用することが増えている。低誘虫性塗料１７を透光性カバー１３の内側面に塗布すれば、透光性カバー１３の外側面においては、低誘虫性塗料１７を一切塗布していない透光性カバー１３と同様の表面処理を施すことが可能であるので、本実施形態のようにつや消し塗料を塗布することができるのである。
【００５１】
また、本実施形態では透光性カバー１３をスリガラスのように仕上げているので、光源４からの光は透光性カバー１３で拡散透過されることになり、透光性カバー１３を透過して照明器具１から放射される紫外線量のさらなる低減が期待できる。その他の構成および機能は実施形態１と同様である。
【００５２】
（実施形態４）
本実施形態の照明器具１においては、透光性カバー１３の外側面に光触媒塗料（図示せず）の被膜を形成した点が実施形態１の照明器具と相違する。本実施形態では、低誘虫性塗料１７は透光性カバー１３の内側面に塗布される。
【００５３】
すなわち、本実施形態では、透光性カバー１３の外側面に光触媒塗装を施すことによって、透光性カバー１３に光触媒の機能を付与してあるので、透光性カバー１３の経年的な汚染を抑制することができる。ここで、低誘虫性塗料１７は透光性カバー１３の内側面に塗布されているので、透光性カバー１３の外側面に光触媒塗装を施したときに低誘虫性塗料１７によって光触媒の機能が阻害されてしまうことはない。その他の構成および機能は実施形態１と同様である。
【００５４】
（実施形態５）
本実施形態の照明器具１は、つや消し塗料に紫外線吸収剤を配合したものを低誘虫性塗料１７として用いている点が実施形態１の照明器具と相違する。本実施形態では、低誘虫性塗料１７は、透光性カバー１３の外側面に塗布されている。すなわち、透光性カバー１３の外側面に低誘虫性塗料１７を塗布するだけで、透光性カバー１３につや消しを施すことと虫を誘引し難くする機能を照明器具１に付与することとが同時に行えるのである。その他の構成および機能は実施形態１と同様である。
【００５５】
なお、上記各実施形態において、透光性カバー１３をガラス製として説明したが、たとえばポリカーボネート樹脂のような合成樹脂製としてもよい。さらに、光源４に関しては、各実施形態では蛍光ランプを例示したが、白熱電球やＨＩＤランプや発光ダイオードなどであってもよい。
【図面の簡単な説明】
【００５６】
【図１】本発明の実施形態１の照明器具を示し、（ａ）は正面図、（ｂ）は要部の正面図、（ｃ）は要部の側面図、（ｄ）は要部の上面図、（ｅ）は要部の下面図である。
【図２】同上の低誘虫性塗料に関する透過率スペクトルの測定結果を示すグラフである。
【図３】同上の他の低誘虫性塗料に関する透過率スペクトルの測定結果を示すグラフである。
【図４】同上のさらに他の低誘虫性塗料に関する透過率スペクトルの測定結果を示すグラフである。
【図５】同上の他の照明器具を示し、（ａ）は正面図、（ｂ）は断面図、（ｃ）は上面図、（ｄ）は木枠の斜視図である。
【図６】従来例を示し、（ａ）は正面図、（ｂ）は要部の正面図、（ｃ）は要部の下面図である。
【符号の説明】
【００５７】
１  照明器具
４  光源
６  器具本体
１３  透光性カバー
１７  低誘虫性塗料
【図１】
2005353554.tif 000004
【図２】
2005353554.tif 000005
【図３】
2005353554.tif 000006
【図４】
2005353554.tif 000007
【図５】
2005353554.tif 000008
【図６】
2005353554.tif 000009